(57)【特許請求の範囲】
【請求項１】
親基板に取り付けられた絶縁性のハウジングと、該ハウジングに取り付けられ、前記ハウジング内に第１角度で挿入された後回転されて第２角度となった子基板を前記第２角度に保持するラッチ部材とを具備したカードエッジコネクタにおいて、
前記ラッチ部材が、前記ハウジングに取り付けられるハウジング取付部及び前記子基板を保持する子基板保持部を有する金属製のラッチ本体と、前記親基板上に半田接続される、前記ラッチ本体とは別体の金属製の固定部材とを具備し、
該固定部材が、前記ラッチ本体から折り曲げられたタブ部に上下方向に一定範囲だけ移動可能に取り付けられており、
前記固定部材は、前記タブ部に取り付けられた際に、前記タブ部の折り曲げ方向の移動及び前記タブ部の折り曲げ方向と直交する方向の移動が規制され、前記タブ部に対しての上下方向の移動が可能となっていることを特徴とするカードエッジコネクタ。
【請求項２】
前記タブ部は、前記ラッチ本体から折り曲げられた幅広部と、該幅広部の先端から延びる、前記幅広部より幅が狭い幅狭部とを備え、前記幅狭部の両側に位置する前記幅広部の先端面に係止肩部を形成すると共に、前記幅狭部に係止用開口部を形成し、
前記固定部材は、弾性係止片を有する、前記タブ部の折り曲げ方向に延びる平板頂部と、該平板頂部の両側部から下方に延び、互いの間の幅が前記幅狭部を挿入可能な幅である１対の側板部と、該１対の側板部の下端のそれぞれから互いに相手に向かって延び、前記平板頂部との間の幅を前記幅狭部の板厚よりも大きくした１対の平板底部とを備え、
前記固定部材の前記側板部の前記タブ折り曲げ方向の一縁面が前記係止肩部に当接すると共に前記弾性係止片が前記係止用開口部に係合することにより、前記固定部材の前記タブ部の折り曲げ方向の移動は規制され、
前記固定部材の１対の前記側板部が前記幅狭部の側縁に当接することにより、前記固定部材の前記タブ部の折り曲げ方向と直交する方向の移動は規制され、
前記固定部材の前記平板頂部の下面が前記幅狭部の上面に当接することにより前記固定部材の下方向への移動が規制され、前記平板底部の上面が前記幅狭部の下面に当接することにより前記固定部材の上方向への移動が規制されることを特徴とする請求項１記載のカードエッジコネクタ。
【請求項３】
前記固定部材又は前記タブ部の一端近傍に突部を設け、前記固定部材が前記突部を中心に上下方向に回動可能となっていることを特徴とする請求項１記載のカードエッジコネクタ。
【発明の詳細な説明】
【０００１】
【発明の属する技術分野】
本発明は、親基板に取り付けられ、子基板を着脱自在に接続するカードエッジコネクタに関する。
【０００２】
【従来の技術】
従来より、親基板に取り付けられ、ＳＩＭＭ（シングル・インライン・メモリ・モジュール）やＤＩＭＭ（ダブル・インライン・メモリ・モジュール）等の子基板を着脱自在に接続するカードエッジコネクタが、パーソナルコンピュータ等に使用されている。
【０００３】
このカードエッジコネクタとして、従来、例えば、図８に示すものが知られている（特開２０００−２０８１８３号公報参照）。
このカードエッジコネクタ１０１は、親基板Ａに取り付けられ、長手方向に延びる子基板受容凹部１１１を有する絶縁性のハウジング１１０と、ハウジング１１０の長手方向に沿って上下２列状に取り付けれ、親基板Ａに接続された複数のコンタクト（図示せず）とを有している。また、ハウジング１１０の長手方向の両端部には、子基板受容凹部１１１に第１角度（図８（Ａ）参照）で挿入された後回転されて第２角度（図８（Ｂ）参照）となった子基板Ｂをその第２角度に保持する１対の金属製のラッチ部材１２０が設けられている。
【０００４】
そして、各ラッチ部材１２０は、金属板を打ち抜き及び曲げ加工することによって形成され、ハウジング１１０の長手方向両端部に形成されたラッチ受容凹部１１２内に圧入される圧入板部１２１と、圧入板部１２１の後端（図８（Ｃ）における上端）から略Ｕ字形に前方に折り返された子基板保持部１２２とを有している。また、圧入板部１２１には、その前端から前方に延びる過応力防止片部１２３が設けられ、過応力防止片部１２３には、その下端から内側（図８（Ｃ）における右側）に折り曲げられた固定部１２４が設けられている。固定部１２４は、親基板Ａ上に半田接続され、これによりラッチ部材１２０が親基板Ａに対して固定されるようになっている。
【０００５】
また、子基板保持部１２２は、圧入板部１２１の後端から略Ｕ字形に前方に折り返された板状部１２２ａと、板状部１２２ａの前方に位置し内側に突出した鉤形のフック部１２２ｂと、板状部１２２ａの上端から内側に折り曲げられた子基板ラッチ片部１２２ｃとを具備している。この子基板ラッチ片部１２２ｃは、子基板受容凹部１１１内に挿入された子基板Ｂを第１角度から第２角度に回動する際に、板状部１２２ａの弾性力により一旦外側に変移してから元の位置に復帰し、子基板Ｂの縁部の上面に接して子基板Ｂの浮き上がりを防止して子基板Ｂを固定するようになっている。また、フック部１２２ｂは、子基板Ｂが第２角度に位置したときに、子基板Ｂの縁部に形成された切欠（図示せず）内に入りこみ、子基板Ｂのコネクタ１０１からの抜けを防止するようになっている。
【０００６】
【発明が解決しようとする課題】
しかしながら、この従来のカードエッジコネクタ１０１にあっては、以下の問題点があった。
即ち、親基板Ａ上に半田接続される固定部１２４が過応力防止片１２３から折り曲げられてラッチ部材１２０を構成する他の部分と一体的になっているため、カードエッジコネクタ１０１の組立状態においてそのコネクタ全体のコプラナリティ（平面度）が所定範囲内に収まっていたとしても、カードエッジコネクタ１０１の半田付け時（固定部１２４の半田付け時）に親基板Ａの反りが前記所定範囲以上であると、親基板Ａの反りを吸収することができず、ラッチ部材１２０を含むカードエッジコネクタ１０１の半田付け不良を起こすことがあった。
【０００７】
一方、コネクタの回路基板への半田付け時における、回路基板の反りを吸収する技術として、例えば、図９に示すものが知られている（実開平５−２３４２９号公報参照）。
図９に示す表面実装型コネクタ２０１は、回路基板（図示せず）上に表面実装されるものであって、絶縁性のハウジング２１０と、このハウジング２１０に取り付けられ、回路基板上に半田接続される半田接続部２２１を有する複数のコンタクト２２０とを具備している。そして、ハウジング２１０の長手方向両端には、上下方向に貫通したスロット２１１が形成され、このスロット２１１内には、上下方向に一定範囲で移動可能なＬ字形の金属製の固定具２３０が取り付けられている。固定具２３０の下面は、回路基板上に半田接続され、これによりコネクタ２０１の回路基板に対する固定を補強するようになっている。
【０００８】
この固定具２３０は、スロット２１１の上方から下方に向けてスロット２１１内に挿入され、固定具２３０の両縁に設けたバーブ２３１とスロット２１１の両側面に形成した肩部２１２との協働により上方向への移動が規制されるようになっている。一方、固定具２３０の下方向への移動は、固定具２３０に形成したスリット２３２の上縁とハウジング２１０からスロット２１１内に突出する突起部２１３との協働によって規制されるようになっている。
【０００９】
固定具２３０は、ハウジング２１０に対して上下方向に一定範囲で移動可能となっているので、コンタクト２２０の半田接続部２２１に対しても上下方向に一定範囲で移動可能である。このため、コンタクト２２０及び固定具２３０の回路基板への半田接続時において、回路基板の反りが生じていてもその反りを吸収し、良好に半田接続を行うことができる。
【００１０】
しかしながら、この表面実装型コネクタ２０１にあっては、金属製の固定具２３０を、絶縁性のハウジング２１０に形成したスロット２１１内に直接取り付けているため、その取り付けに際してバーブ２３１によりスロット２１１の両側面が削られてしまい、固定具２３０がスロット２１１から外れてしまうことがあった。
【００１１】
従って、本発明は上述の問題点に鑑みてなされたものであり、その目的は、親基板への固定部材がラッチ本体から取り外れることなく、固定部材を含むコネクタ全体の親基板への半田接続時において、親基板の反りを吸収して半田付け不良をなくすことができるカードエッジコネクタを提供することにある。
【００１２】
【課題を解決するための手段】
上記問題を解決するため、本発明のうち請求項１に係るカードエッジコネクタは、親基板に取り付けられた絶縁性のハウジングと、該ハウジングに取り付けられ、前記ハウジング内に第１角度で挿入された後回転されて第２角度となった子基板を前記第２角度に保持するラッチ部材とを具備したカードエッジコネクタにおいて、前記ラッチ部材が、前記ハウジングに取り付けられるハウジング取付部及び前記子基板を保持する子基板保持部を有する金属製のラッチ本体と、前記親基板上に半田接続される、前記ラッチ本体とは別体の金属製の固定部材とを具備し、該固定部材が、前記ラッチ本体から折り曲げられたタブ部に上下方向に一定範囲だけ移動可能に取り付けられており、前記固定部材は、前記タブ部に取り付けられた際に、前記タブ部の折り曲げ方向の移動及び前記タブ部の折り曲げ方向と直交する方向の移動が規制され、前記タブ部に対しての上下方向の移動が可能となっていることを特徴としている。
【００１４】
また、本発明のうち請求項２に係るカードエッジコネクタは、請求項１記載の発明において、前記タブ部は、前記ラッチ本体から折り曲げられた幅広部と、該幅広部の先端から延びる、前記幅広部より幅が狭い幅狭部とを備え、前記幅狭部の両側に位置する前記幅広部の先端面に係止肩部を形成すると共に、前記幅狭部に係止用開口部を形成し、前記固定部材は、弾性係止片を有する、前記タブ部の折り曲げ方向に延びる平板頂部と、該平板頂部の両側部から下方に延び、互いの間の幅が前記幅狭部を挿入可能な幅である１対の側板部と、該１対の側板部の下端のそれぞれから互いに相手に向かって延び、前記平板頂部との間の幅を前記幅狭部の板厚よりも大きくした１対の平板底部とを備え、前記固定部材の前記側板部の前記タブ折り曲げ方向の一縁面が前記係止肩部に当接すると共に前記弾性係止片が前記係止用開口部に係合することにより、前記固定部材の前記タブ部の折り曲げ方向の移動は規制され、前記固定部材の１対の前記側板部が前記幅狭部の側縁に当接することにより、前記固定部材の前記タブ部の折り曲げ方向と直交する方向の移動は規制され、前記固定部材の前記平板頂部の下面が前記幅狭部の上面に当接することにより前記固定部材の下方向への移動が規制され、前記平板底部の上面が前記幅狭部の下面に当接することにより前記固定部材の上方向への移動が規制されることを特徴としている。
【００１５】
本発明のうち請求項３に係るカードエッジコネクタは、請求項１記載の発明において、前記固定部材又は前記タブ部の一端近傍に突部を設け、前記固定部材が前記突部を中心に上下方向に回動可能となっていることを特徴としている。
【００１６】
【発明の実施の形態】
次に本発明の実施形態を図面を参照して説明する。図１は本発明に係るカードエッジコネクタの第１実施形態を示し、（Ａ）は平面図、（Ｂ）は正面図、（Ｃ）は右側面図である。但し、図１（Ｃ）においては、親基板及び子基板を共に示してある。図２は図１に示すカードエッジコネクタに使用される左側ラッチ部材を構成するラッチ本体を示し、（Ａ）は一部を断面した正面図、（Ｂ）は右側面図、（Ｃ）は左側面図である。図３は図２に示したラッチ本体の平面図である。図４は図１に示すカードエッジコネクタに使用される左側ラッチ部材を構成する固定部材を示し、（Ａ）は平面図、（Ｂ）は正面図、（Ｃ）は左側面図、（Ｄ）は底面図、（Ｅ）は（Ａ）の４Ｅ−４Ｅ線に沿う断面図である。図５は左側ラッチ部材の固定部材を親基板Ａ上に半田接続した状態の一部を断面した正面図である。
【００１７】
図１において、カードエッジコネクタ１は、親基板Ａ上に取り付けられ、長手方向（図１（Ｂ）における左右方向）に延びる子基板受容凹部１１を有する絶縁性のハウジング１０と、ハウジング１０の長手方向に沿って上下２列状に配置された複数のコンタクト２０とを具備している。各コンタクト２０は、親基板Ａ上に表面実装半田接続される半田接続部２１を有している。そして、ハウジング１０の長手方向両端には、子基板受容凹部１１内に第１角度（親基板Ａに対して斜めの角度）で挿入された後回転されて第２角度（親基板Ａに対して略水平角度）となった子基板Ｂを前記第２角度に保持する１対のラッチ部材３０Ａ、３０Ｂが設けられている。子基板Ｂは、子基板受容凹部１１内に第１角度で受容される際に、上下２列状に配置された複数のコンタクト２０間に入り込み、回転されて第２角度で保持される際には、上下２列のコンタクト２０に接触し、これにより子基板Ｂが親基板Ａに電気的に接続されるようになっている。
【００１８】
ここで、ハウジング１０は、長手方向に延びる略矩形体で形成された絶縁部材であり、ＰＢＴ等の合成樹脂を成形することによって形成される。ハウジング１０の長手方向中心よりもやや右側（図１（Ｂ）における右側）には、子基板Ｂの逆差しを防止するためのリブ１２が設けられている。
又、１対のラッチ部材３０Ａ、３０Ｂは、ハウジング１０の長手方向中心に対して対称形状をなすように形成され、長手方向中心に対して左側に配置された左側ラッチ部材３０Ａと、前記中心に対して右側に配置された右側ラッチ部材３０Ｂとからなっている。左側ラッチ部材３０Ａと右側ラッチ部材３０Ｂとは、対称形状をなしているため、以下、左側ラッチ部材３０Ａの構成のみを説明し、右側ラッチ部材３０Ｂの構成の説明は省略する。
【００１９】
左側ラッチ部材３０Ａは、図１に示すように、金属製のラッチ本体４０と、ラッチ本体４０とは別体の金属製の固定部材５０とで構成されている。
このうち、ラッチ本体４０は、ステンレス等の金属板を打抜き及び曲げ加工することによって形成され、図２及び図３に最もよく示すように、ハウジング１０に圧入固定される圧入板部（ハウジング取付部）４１を有している。圧入板部４１の前端（図３における下端）には、過渡部４３ａが外方斜め前方に延び、過渡部４３ａの先端から第１平板部４３が前方に向けて延びている。また、圧入板部４１の前端上縁には、一旦上方に延びてから内側下方に折り返される折り返し片４２が形成されている。そして、折り返し片４２の前縁には、第１平板部４３と略平行に前方に向けて延びる第２平板部４６が形成されている。折り返し片４２の外面には、第１平板部４３と第２平板部４６との間の距離を所定距離に保つための外向きに突出した複数の突起４８が形成されている。
【００２０】
第２平板部４６の前端には、子基板Ｂを第２角度に保持する子基板保持部４７が設けられている。子基板保持部４７は、第２平板部４６の前端から延びて内側に所定角度で折り曲げられた子基板抜け止め片４７ａと、第２平板部の上縁から内側に折り曲げられた子基板保持片４７ｂとを有している。ここで、子基板保持片４７ｂは、子基板受容凹部１１内に第１角度で挿入された子基板Ｂを第２角度に回転すると、第２平板部４６の弾性力により一旦外側に移動してから元の位置に復帰し、子基板Ｂの縁部の上面に接して子基板Ｂの浮き上がりを防止して子基板Ｂを固定する。また、子基板抜け止め片４７ａは、子基板Ｂが第２角度に位置する際に子基板Ｂの縁部に形成された切欠（図示せず）に入り込み、その切欠に係合することにより、子基板Ｂのコネクタ１からの前方への抜けを防止する。なお、第２平板部４６の前端下縁及び後端下縁には、子基板Ｂが第２角度に位置する際に子基板Ｂを支持する内側に延びる子基板支持部４９ａ，４９ｂが設けられている。子基板支持部４９ａ，４９ｂは、高さ方向においてそれら上面の位置が一致しないように段違いに形成されている。この理由は、子基板Ｂが第２角度に位置する際の子基板Ｂの反りを考慮したためである。
【００２１】
一方、第１平板部４３の前後方向略中央部の下縁からは、板厚ｔのタブ部４４が内側に折り曲げられている。タブ部４４は、第２平板部４６の下方を延びている。タブ部４４は、第１平板部４３から内側に折り曲げられた比較的幅が広い幅広部４４ａと、幅広部４４ａの先端から内側に延びる、幅広部４４ａより幅が狭い幅狭部４４ｂとを備えている。図３において、幅狭部４４ｂの幅Ｗ2 は幅広部４４ａの幅Ｗ1 よりも狭くなっている。そして、図３及び図５に示すように、幅狭部４４ｂの両側に位置する幅広部４４ａの先端縁面には、係止肩部４４ｃが形成されている。また、タブ部４４の幅狭部４４ｂには、上下に貫通する係止用開口部４４ｅが形成されると共に、幅狭部４４ｂの先端には、その先端から係止用開口部４４ｅに向けて斜め上方に傾斜する所定幅の傾斜面４４ｄが形成されている。また、過移動防止片４５は、第１平板部４３の前端下縁から内側に折り曲げられて第２平板部４６の下方に位置する連結部分４５ａと連結部分４５ａの先端から立ち上がる起立片４５ｂとを具備している。第２平板部４６は第１平板部４３と起立片４５ｂとの間に位置するように配置され、第２平板部４６の外側への移動は第１平板部４３によって規制され、第２平板部４６の内側への移動は過移動防止片４５の起立片４５ｂによって規制されるようになっている。
【００２２】
次に、固定部材５０は、ステンレス、銅合金等の金属板を打抜き及び曲げ加工することによって形成され、図４に最もよく示すように、タブ部４４の折り曲げ方向に延びる平板頂部５１と、平板頂部５１の両側部から下方に延びる１対の側板部５２と、１対の側板部５２の下端のそれぞれから互いに相手方に向かって延びる１対の平板底部５３とを具備している。固定部材５０は、半田接続するため、半田めっき又は錫めっきされる。
【００２３】
ここで、固定部材５０の平板頂部５１には、平板頂部５１の左端部に設けられた案内板部５１ａと、平板頂部５１の左端側から右端側に向けて（タブ４４の折り曲げ方向に沿って）延びる片持ち梁状の弾性係止片５４とが設けられている。弾性係止片５４は、タブ部４４に形成された傾斜面４４ｄの幅よりもやや小さな幅を有し、その先端は自由状態で平板底部５３の上面と略同一面に至るまで下方に折り曲げられている。また、１対の側板部５２間の幅ＷA は、タブ部４４の幅狭部４４ｂの幅Ｗ2 よりも少しだけ大きくなっており、幅狭部４４ｂを挿入可能な幅となっている。更に、１対の平板底部５３と平板頂部５１との間の幅ＷB は、タブ部４４の板厚ｔよりも大きくなっている。
【００２４】
そして、この固定部材５０は、図５に示すように、平板頂部５１の案内板部５１ａをタブ部４４の幅狭部４４ｂの上面に沿わせつつラッチ本体４０の第１平板部４３に向けて押圧することによりラッチ本体４０のタブ部４４に取り付けられる。この取り付けに際して、平板頂部５１と１対の側板部５２と１対の平板底部５３とで囲まれる固定部材５０の空間内にタブ部４４の幅狭部４４ｂが先端から挿入される。この際に、案内板部５１ａがタブ部４４の幅狭部４４ｂの上面に沿うことで幅狭部４４ｂの挿入を容易に行うことができる。タブ部４４の幅狭部４４ｂがその先端から固定部材５０の空間内に挿入されると、固定部材５０の弾性係止片５４の先端が幅狭部４４ｂの先端に形成された傾斜面４４ｄ上を摺動して弾性係止片５４が上方へ撓み、その先端が係止用開口部４４ｅに至ると、弾性係止片５４が元の位置に復帰して係止用開口部４４ｅ内に入り込み、係止用開口部４４ｅの縁に係合する。また、側板部５２のタブ折り曲げ方向の左縁面がタブ部４４に形成された係止肩部４４ｃに当接する。弾性係止片５４の係止用開口部４４ｅへの係合に際して、弾性係止片５４の先端が傾斜面４４ｄ上を摺動するようになっているので、弾性係止片５４の先端が係止用開口部４４ｅに円滑に導かれる。弾性係止片５４が係止用開口部４４ｅに係止すると共に側板部５２のタブ折り曲げ方向の左縁面がタブ部４４に形成された係止肩部４４ｃに当接することにより、固定部材５０のタブ部４４の折り曲げ方向の移動は規制される。また、このとき同時に、固定部材５０のタブ部４４の折り曲げ方向と直交する方向の移動は、１対の側板部５２の内面がタブ部４４の幅狭部４４ｂの側縁に当接することにより、規制される。そして、固定部材５０をタブ部４４に取り付けた後においては、固定部材５０はタブ部４４に対しての上下方向（図５におけるｚ方向）に移動可能であるが、固定部材５０の平板頂部５１の下面が幅狭部４４ｂの上面に当接することにより固定部材５０の下方向への移動が規制され、平板底部５３の上面が幅狭部４４ｂの下面に当接することにより固定部材５０の上方向への移動が規制される。
【００２５】
複数のコンタクト２０を取り付けたハウジング１０の長手方向両端に左右１対のラッチ部材３０Ａ，３０Ｂを取り付けてカードエッジコネクタ１は完成する。その後、このカードエッジコネクタ１は、親基板Ａ上に表面実装されてパーソナルコンピュータ等の内部に配置される。
このカードエッジコネクタ１の親基板Ａへの実装に際しては、図１（Ｃ）及び図５に示すように、コンタクト２０の半田接続部２１及びラッチ部材３０Ａ，３０Ｂの固定部材５０，５０の平板底部５３を親基板Ａ上の所定位置に配置してからリフロー半田付けを行う。これにより、カードエッジコネクタ１は親基板Ａ上へ実装される。
【００２６】
この際に、固定部材５０はラッチ本体４０のタブ部４４に対して上下方向（図５におけるｚ方向）に一定範囲で移動可能となっているので、親基板Ａに反りが生じていてもその反りを固定部材５０の上下移動により吸収することができ、コンタクト２０の半田接続部２１及び固定部材５０を良好に親基板Ａに対して半田接続を行うことができる。
【００２７】
また、ラッチ本体４０のタブ部４４及び固定部材５０は金属製であるため、固定部材５０のタブ部４４への取付けに際して、一方の部材が削れてしまうようなことはなく、この削れに起因して固定部材５０がラッチ本体４０のタブ部４４から外れてしまうことはない。
更に、固定部材５０のタブ折り曲げ方向の移動は、固定部材５０の側板部５２のタブ折り曲げ方向の左縁面がタブ部４４ｂに形成された係止肩部４４ｃに当接すると共に弾性係止片５４が係止用開口部４４ｅに係合することにより、規制され、固定部材５０のタブ折り曲げ方向と直交する方向の移動は、固定部材５０の１対の側板部５２がタブ部４４に形成された幅狭部４４ｂの側縁に当接することにより、規制される。そして、固定部材５０は、平板頂部５１及び平板底部５３が幅狭部４４ｂに当接する間で上下方向に移動可能であるので、固定部材５０を、ラッチ本体４０から折り曲げられたタブ部４４に対して上下方向に一定範囲だけ移動可能な状態で、タブ部４４に確実に取り付けることができる。また、平板頂部５１と１対の側板部５２と１対の平板底部５３とで囲まれる固定部材５０の空間内にタブ部４４の幅狭部４４ｂを先端から挿入することにより、固定部材５０をタブ部４４に取り付けることができるので、固定部材５０のタブ部４４に対する取付けを簡単に行うことができる。
【００２８】
次に、本発明に係るカードエッジコネクタの第２実施形態を図６及び図７を参照して説明する。図６は、カードエッジコネクタの第２実施形態を構成する右側ラッチ部材の一部を断面した正面図で、（Ａ）は固定部材がラッチ部に対して平行にある状態を示し、（Ｂ）は固定部材が回動してラッチ部に対して傾斜している状態を示している。図７は、左側ラッチ部材を構成するラッチ本体の平面図である。
【００２９】
カードエッジコネクタの第２実施形態は、図１乃至図５に示すカードエッジコネクタと基本構成は同様であるが、１対のラッチ部材３０Ａ、３０Ｂのそれぞれを構成するラッチ本体４０及び固定部材５０の形状が相違している。左側ラッチ部材３０Ａと右側ラッチ部材３０Ｂとは、対称形状をなしているため、以下、右側のラッチ部材３０Ｂを構成するラッチ本体４０及び固定部材５０を説明する。
【００３０】
このラッチ本体４０は、図１乃至図３、及び図５に示すラッチ本体４０と基本構成は略同一で、ステンレス等の金属板を打抜き及び曲げ加工することによって形成される。そして、ラッチ本体４０は、図７に示すように（図７は左側ラッチ部材を構成するラッチ本体を示すが、左側ラッチ部材を構成するラッチ本体は対称形状をなす。）、ハウジングへの圧入板部４１、折り返し片４２、第１平板部４３、第２平板部４６、子基板保持部４７、過移動防止片４５及びタブ部４４を有する。
【００３１】
このうち、タブ部４４の構成が図１乃至図３、及び図５に示すラッチ本体４０のタブ部４４と相違している。図６に示すタブ部４４は、第１平板部４３の前後方向略中央部の下縁から内側に折り曲げられ、第２平板部４６の下方を延びている。そして、タブ部４４は、第１平板部４３から内側に折り曲げられた比較的幅が広い幅広部４４ａと、幅広部４４ａの先端から内側に延びる、幅広部４４ａより幅が狭い幅狭部４４ｂとを備えている。そして、幅狭部４４ｂの両側に位置する幅広部４４ａの先端縁面には、係止肩部４４ｃが形成されている。また、タブ部４４の幅狭部４４ｂには、上下に貫通する係止用開口部４４ｅが形成されると共に、幅狭部４４ｂの先端には、その先端から係止用開口部４４ｅに向けて斜め上方に傾斜する所定幅の傾斜面４４ｄが形成されている。
【００３２】
このタブ部４４の幅広部４４ａの上面には、図１乃至図３、及び図５に示すラッチ本体４０のタブ部４４と異なり、上方に突出する２個の突部４４ｆが設けられている。一方、係止用開口部４４ｅの両側に位置するタブ部４４の幅狭部４４ｂの上面には、１対のビード４４ｇが突出形成されている。各ビード４４ｇの突出高さは、突部４４ｆの突出高さよりも若干低くなっている。
【００３３】
一方、固定部材５０は、図１、図４、及び図５に示す固定部材５０と基本構成は同一で、ステンレス、銅合金等の金属板を打抜き及び曲げ加工することによって形成されている。そして、固定部材５０は、図６に最もよく示すように、タブ部４４の折り曲げ方向に延びる平板頂部５１と、平板頂部５１の両側部から下方に延びる１対の側板部５２と、１対の側板部５２の下端のそれぞれから互いに相手方に向かって延びる１対の平板底部５３とを具備している。固定部材５０は、半田接続するため、半田めっき又は錫めっきされる。
【００３４】
ここで、固定部材５０の平板頂部５１には、平板頂部５１の左端部に設けられた案内板部５１ａと、平板頂部５１の左端側から右端側に向けて（タブ４４の折り曲げ方向に沿って）延びる片持ち梁状の弾性係止片５４とが設けられている。弾性係止片５４は、タブ部４４に形成された傾斜面４４ｄの幅よりもやや小さな幅を有し、その先端は自由状態で平板底部５３の上面よりもやや上方の位置に至るまで下方に折り曲げられている。１対の側板部５２間の幅は、タブ部４４の幅狭部４４ｂの幅よりも少しだけ大きくなっており、幅狭部４４ｂを挿入可能な幅となっている。
【００３５】
更に、１対の平板底部５３と平板頂部５１との間の幅は、図１、図４、及び図５に示す固定部材５０と異なり、タブ部４４の板厚と突部４４ｆの突出高さとを合計した長さよりも大きくなっている。
そして、この固定部材５０は、図６（Ａ）に示すように、平板頂部５１の案内板部５１ａをタブ部４４のビード４４ｇ、突部４４ｆの上部に沿わせつつラッチ本体４０の第１平板部４３に向けて押圧することによりラッチ本体４０のタブ部４４に取り付けられる。この取り付けに際して、平板頂部５１と１対の側板部５２と１対の平板底部５３とで囲まれる固定部材５０の空間内にタブ部４４の幅狭部４４ｂが先端から挿入される。タブ部４４の幅狭部４４ｂがその先端から固定部材５０の空間内に挿入されると、固定部材５０の弾性係止片５４の先端が幅狭部４４ｂの先端に形成された傾斜面４４ｄ上を摺動して弾性係止片５４が上方へ撓み、その先端が係止用開口部４４ｅに至ると、弾性係止片５４が元の位置に復帰して係止用開口部４４ｅ内に入り込み、係止用開口部４４ｅの縁に係合する。また、側板部５２のタブ折り曲げ方向の左縁面がタブ部４４に形成された係止肩部４４ｃに当接する。弾性係止片５４の係止用開口部４４ｅへの係合に際して、弾性係止片５４の先端が傾斜面４４ｄ上を摺動するようになっているので、弾性係止片５４の先端が係止用開口部４４ｅに円滑に導かれる。弾性係止片５４が係止用開口部４４ｅに係止すると共に側板部５２のタブ折り曲げ方向の図６における右縁面がタブ部４４に形成された係止肩部４４ｃに当接することにより、固定部材５０のタブ部４４の折り曲げ方向の移動は規制される。また、このとき同時に、固定部材５０のタブ部４４の折り曲げ方向と直交する方向の移動は、１対の側板部５２の内面がタブ部４４の幅狭部４４ｂの側縁に当接することにより、規制される。そして、固定部材５０をタブ部４４に取り付けた後においては、図５に示す場合と異なり、固定部材５０は、図６（Ｂ）に示すように、突部４４ｆを中心にして上下方向（図６（Ｂ）におけるＸ方向）に回動可能となる。そして、固定部材５０は、固定部材５０の平板頂部５１の下面がビード４４ｇの上面に当接することにより、下方向への回動が規制され、平板底部５３の上面が幅狭部４４ｂの下面に当接することにより、上方向への回動が規制される。
【００３６】
この第２実施形態のカードエッジコネクタにあっても、カードエッジコネクタの親基板Ａ（図５参照）への実装に際し、固定部材５０は突部４４ｆを中心にして上下方向に回動可能となっているので、親基板Ａに反りが生じていてもその反りを固定部材５０の上下方向への回動により吸収することができ、コンタクト２０の半田接続部２１及び固定部材５０を良好に親基板Ａに対して半田接続を行うことができる。さらに、カードエッジコネクタ１又はラッチ本体４０にそれらを上方へ移動させる力が作用した場合、突部４４ｆが案内板部５１ａと略常時当接しているので、固定部材５０に衝撃的な力が加わりにくい。このため、半田クラックが生じにくい。また、突部４４ｆが案内板部５１ａと略常時当接するので、ラッチ本体４０及び固定部材５０を介して親基板Ａと子基板Ｂを接地接続することが可能になる。
【００３７】
以上、本発明の実施形態ついて説明してきたが、本発明はこれに限定されず、種々の変更を行うことができる。
例えば、固定部材５０及びタブ部４４の形状は、固定部材５０を、ラッチ本体４０から折り曲げられたタブ部４４に対して上下方向に一定範囲だけ移動可能な状態で、タブ部４４に取り付けることができるものであれば、図１乃至図５に示された形状に限ることはない。
【００３８】
また、ラッチ本体４０の子基板保持部４７を樹脂で被覆してもよい。
更に、突部４４ｆは、固定部材５０がその突部４４ｆを中心にして上下方向に回動可能となるものであれば、タブ部４４側に設ける必要はなく、固定部材５０側に設けてもよい。
【００３９】
【発明の効果】
以上説明したように、本発明のうち請求項１に係るカードエッジコネクタによれば、ラッチ部材が、ハウジングに取り付けられるハウジング取付部及び子基板を保持する子基板保持部を有する金属製のラッチ本体と、親基板上に半田接続される、前記ラッチ本体とは別体の金属製の固定部材とを具備し、該固定部材が、前記ラッチ本体から折り曲げられたタブ部に上下方向に一定範囲だけ移動可能に取り付けられているので、固定部材を含むコネクタ全体の親基板への半田接続時において、親基板に反りが生じていてもその反りを固定部材の上下移動により吸収することができ、コネクタ全体を良好に親基板に対して半田接続を行うことができる。また、ラッチ本体のタブ部及び固定部材は金属製であるため、固定部材のタブ部への取付けに際して、一方の部材が削れてしまうようなことはなく、この削れに起因して固定部材がラッチ本体のタブ部から外れてしまうことはない。
【００４０】
また、本発明のうち請求項１に係るカードエッジコネクタによれば、前記固定部材は、前記タブ部に取り付けられた際に、前記タブ部の折り曲げ方向の移動及び前記タブ部の折り曲げ方向と直交する方向の移動が規制され、前記タブ部に対しての上下方向の移動が可能となっているので、固定部材を、ラッチ本体から折り曲げられたタブ部に対して上下方向に一定範囲だけ移動可能な状態で、タブ部に確実に取り付けることができる。
【００４１】
本発明のうち請求項２に係るカードエッジコネクタによれば、請求項１記載の発明において、固定部材の側板部のタブ折り曲げ方向の一縁面がタブに形成した係止肩部に当接すると共に固定部材に設けた弾性係止片がタブ部に形成した係止用開口部に係合することにより、固定部材のタブ部の折り曲げ方向の移動は規制され、固定部材の１対の側板部がタブ部の幅狭部の側縁に当接することにより、固定部材のタブ部の折り曲げ方向と直交する方向の移動は規制され、前記固定部材の前記平板頂部の下面が前記幅狭部の上面に当接することにより前記固定部材の下方向への移動が規制され、前記平板底部の上面が前記幅狭部の下面に当接することにより前記固定部材の上方向への移動が規制されるので、固定部材を、ラッチ本体から折り曲げられたタブ部に対して上下方向に一定範囲だけ移動可能な状態で、タブ部に確実に取り付けることができる。また、平板頂部と１対の側板部と１対の平板頂部とで囲まれる固定部材の空間内にタブ部の幅狭部を先端から挿入することにより、固定部材をタブ部に取り付けることができるので、固定部材のタブ部に対する取付けを簡単に行うことができる。
【００４２】
本発明のうち請求項３に係るカードエッジコネクタによれば、請求項１記載の発明において、前記固定部材又は前記タブ部の一端近傍に突部を設け、前記固定部材が前記突部を中心に上下方向に回動可能となっているので、親基板に反りが生じていてもその反りを固定部材の上下方向への回動により吸収することができ、コンタクトの半田接続部及び固定部材を良好に親基板に対して半田接続を行うことができる。さらに、突部が固定部材又はタブ部と略常時当接するので、カードエッジコネクタ又はラッチ本体にそれらを上方へ移動させる力が作用した場合であっても、固定部材に衝撃的な力が加わりにくく、半田クラックの発生を抑制することができると共に、ラッチ本体及び固定部材を介して親基板及び子基板を接地接続することが可能になる。
【図面の簡単な説明】
【図１】本発明に係るカードエッジコネクタの実施形態を示し、（Ａ）は平面図、（Ｂ）は正面図、（Ｃ）は右側面図である。但し、図１（Ｃ）においては、親基板及び子基板を共に示してある。
【図２】図１に示すカードエッジコネクタに使用される左側ラッチ部材を構成するラッチ本体を示し、（Ａ）は一部を断面した正面図、（Ｂ）は右側面図、（Ｃ）は左側面図である。
【図３】図２に示したラッチ本体の平面図である。
【図４】図１に示すカードエッジコネクタに使用される左側ラッチ部材を構成する固定部材を示し、（Ａ）は平面図、（Ｂ）は正面図、（Ｃ）は左側面図、（Ｄ）は底面図、（Ｅ）は（Ａ）の４Ｅ−４Ｅ線に沿う断面図である。
【図５】左側ラッチ部材の固定部材を親基板Ａ上に半田接続した状態の一部を断面した正面図である。
【図６】本発明に係るカードエッジコネクタの第２実施形態を構成する右側ラッチ部材の一部を断面した正面図で、（Ａ）は固定部材がラッチ部に対して平行にある状態を示し、（Ｂ）は固定部材が回動してラッチ部に対して傾斜している状態を示している。
【図７】左側ラッチ部材を構成するラッチ本体の平面図である。
【図８】従来例のカードエッジコネクタを示し、（Ａ）は子基板が第１角度で挿入された状態の断面図、（Ｂ）は子基板が第２角度で挿入された状態の断面図、（Ｃ）はラッチ部材がハウジングに取り付けられた状態の部分平面図である。
【図９】従来例の表面実装型コネクタを示し、（Ａ）は底面図、（Ｂ）は（Ａ）の９Ｂ−９Ｂ線に沿った断面図、（Ｃ）は（Ａ）の９Ｃ−９Ｃ線に沿った断面図である。
【符号の説明】
１  カードエッジコネクタ
１０  ハウジング
３０Ａ  左側ラッチ部材
３０Ｂ  右側ラッチ部材
４０  ラッチ本体
４１  圧入板部（ハウジング取付部）
４４  タブ部
４４ａ  幅広部
４４ｂ  幅狭部
４４ｃ  係止肩部
４４ｅ  係止用開口部
４４ｆ  突部
４７  子基板保持部
５０  固定部材
５１  平板頂部
５２  側板部
５３  平板底部
５４  弾性係止片
Ａ  親基板
Ｂ  子基板
【図１】
0004527310.tif 000002
【図２】
0004527310.tif 000003
【図３】
0004527310.tif 000004
【図４】
0004527310.tif 000005
【図５】
0004527310.tif 000006
【図６】
0004527310.tif 000007
【図７】
0004527310.tif 000008
【図８】
0004527310.tif 000009
【図９】
0004527310.tif 000010